(57)【要約】【課題】通話しながらのデータ送信ができると共に、データ送信要求元の移動局に確実にデータ送信することができるデータ送受信システムを提供することを目的とする。【解決手段】車両１２から携帯電話４０を使って各種サービス要求を行うと、情報センタ１４では携帯電話４０の電話番号に対応して要求サービスデータをセットし、車両１２側から通信モジュール１６を介して要求サービスデータの取得を行う。そして、このとき、携帯電話４０の電話番号を情報センタ１４に送信することにより、情報センタ１４は当該携帯電話４０の電話番号に対応する要求サービスデータを通信モジュール１６に送信する。これによって、携帯電話４０と通信モジュール１６とを紐付けすることができ、データ送信要求元の車両１２に確実にデータ送信することができる。【選択図】　　　　図１
2004140666.tif 000002
【特許請求の範囲】
【請求項１】
移動局と固定局からなるデータ送受信システムであって、
前記移動局は、
前記固定局とデータ通信を行うデータ通信手段と、
前記データ通信手段に送信すべき所定のデータを要求するためのデータ要求手段と、
を備え、
前記固定局は、
前記データ要求手段により要求された所定のデータを、前記データ通信手段へ送信する送信手段と、
を備えることを特徴とするデータ送受信システム。
【請求項２】
前記データ要求手段と前記データ通信手段とを関連付ける関連付手段をさらに備え、
前記データ通信手段による、前記移動局と前記固定局間のデータ通信経路と、前記データ要求手段による、前記移動局と前記固定局間のデータ要求経路と、をそれぞれ異なる通信経路で接続することを特徴とする請求項１に記載のデータ送受信システム。
【請求項３】
前記関連付手段は、前記データ要求手段の固有情報と前記データ通信手段の固有情報とに基づいて、前記データ要求手段と前記データ通信手段とを関連付けることを特徴とする請求項２に記載のデータ送受信システム。
【請求項４】
前記関連付手段は、前記データ通信手段の固有情報及び前記データ要求手段の固有情報を前記固定局に登録する登録手段を含み、
該登録手段の前記登録によって前記関連付けを行うと共に、前記送信手段が、前記関連付けされた各固有情報に基づいて要求された所定のデータを送信することを特徴とする請求項３に記載のデータ送受信システム。
【請求項５】
前記登録手段は、前記データ通信手段による前記データ通信毎に前記登録を行うことを特徴とする請求項４に記載のデータ送受信システム。
【請求項６】
前記登録手段は、前記データ要求手段による所定のデータ要求の前に予め前記登録を行うことを特徴とする請求項４に記載のデータ送受信システム。
【請求項７】
前記関連付手段は、前記データ通信手段の固有情報及び前記データ要求手段の固有情報を前記移動局で認識する認識手段を含み、
該認識手段の前記認識によって前記関連付けを行うと共に、前記データ通信手段が、前記関連付けされた各固有情報に基づいて、前記データ要求手段によって要求した所定のデータを前記送信手段より取得することを特徴とする請求項３に記載のデータ送受信システム。
【請求項８】
所定の固定局とデータ通信を行うデータ通信手段と、
前記データ通信手段に送信すべき所定のデータを要求するためのデータ要求手段と、
を備えた移動端末装置。
【請求項９】
前記データ要求手段と前記データ通信手段とを関連付ける関連付手段をさらに備え、
前記データ通信手段による前記固定局とのデータ通信経路と、前記データ要求手段による前記固定局とのデータ要求経路と、をそれぞれ異なる通信経路で接続することを特徴とする請求項８に記載の移動端末装置。
【請求項１０】
前記関連付手段は、前記データ要求手段の固有情報と前記データ通信手段の固有情報とに基づいて、前記データ要求手段と前記データ通信手段とを関連付けることを特徴とする請求項９に記載の移動端末装置。
【請求項１１】
前記関連付手段は、前記データ通信手段の固有情報及び前記データ要求手段の固有情報を前記固定局に登録する登録手段を含み、該登録手段の前記登録によって前記関連付けを行うことを特徴とする請求項１０に記載の移動端末装置。
【請求項１２】
前記登録手段は、前記データ通信手段による前記データ通信毎に前記登録を行うことを特徴とする請求項１１に記載の移動端末装置。
【請求項１３】
前記登録手段は、前記データ要求手段による所定のデータ要求の前に予め前記登録を行うことを特徴とする請求項１１に記載の移動端末装置。
【請求項１４】
前記関連付手段は、前記データ通信手段の固有情報及び前記データ要求手段の固有情報を認識する認識手段を含み、
前記認識手段の前記認識によって前記関連付けを行うと共に、前記データ通信手段が、前記関連付けされた各固有情報に基づいて、前記データ要求手段によって要求した所定のデータを前記固定局より取得することを特徴とする請求項１０に記載の移動端末装置。
【発明の詳細な説明】
【０００１】
【発明の属する技術分野】
本発明は、データ送受信システム及び移動端末装置にかかり、特に、移動体（車両や携帯端末）にデータ通信用の通信モジュールが搭載され、その通信モジュールを介すことなく通話（音声通信）を行うことが可能なデータ送受信システム及び移動端末装置に関する。
【０００２】
【従来の技術】
従来より、車載通信装置に携帯電話を接続して、緊急事態の発生に対応するためのサービスや各種情報を提供するサービスなどを行うセンターと通信を行うものが提案されている。
【０００３】
また、特許文献１に記載の技術では、車載通信装置に接続する携帯電話が必ずしも同一の携帯電話であるとは限らないことから、その携帯電話のＩＤ（電話番号）をセンタに登録しておき、通信相手の車両の特定を可能する技術が記載されている。
【０００４】
【特許文献１】
特開平１０−１７３５８９号公報（第６−７頁、第２図）
【０００５】
【発明が解決しようとする課題】
しかしながら、特許文献１に記載の技術では、センタから携帯電話にデータを送信する場合に、データ通信と通話とを同一の携帯電話を用いて行うので、通信速度が遅かったり、通話しながらのデータ送信ができない、という問題がある。
【０００６】
本発明は、上記問題を解決すべく成されたもので、通話しながらのデータ送信ができると共に、データ送信要求元の移動局に確実にデータ送信することができるデータ送受信システム及び移動端末装置を提供することを目的とする。
【０００７】
【課題を解決するための手段】
上記目的を達成するために請求項１に記載の発明は、移動局と固定局からなるデータ送受信システムであって、前記移動局は、前記固定局とデータ通信を行うデータ通信手段と、前記データ通信手段に送信すべき所定のデータを要求するためのデータ要求手段と、を備え、前記固定局は、前記データ要求手段により要求された所定のデータを、前記データ通信手段へ送信する送信手段と、を備えることを特徴としている。
【０００８】
請求項１に記載の発明によれば、データ通信手段によって固定局とデータ通信が行われ、データ要求手段によってデータ通信手段に送信すべき所定のデータが固定局に要求される。
【０００９】
そして、固定局の送信手段では、データ要求手段によって要求された所定のデータが、データ通信手段に送信される。
【００１０】
例えば、データ通信手段は、データ通信専用の通信モジュールを適用し、データ要求手段は、携帯電話等の通信端末を適用することが可能で、携帯電話による通話によって固定局に対して所定のデータを要求し、送信手段から送信される所定のデータをデータ通信手段で受け取ることができる。
【００１１】
すなわち、データ通信とデータ要求をそれぞれ個別に通信することができるので、通話しながらのデータ通信ができる。
【００１２】
また、データ要求手段により要求された所定のデータは、送信手段によってデータ通信手段に送信されるので、データ送信要求元の移動局に確実にデータ送信することができる。
【００１３】
請求項２に記載の発明は、請求項１に記載の発明において、前記データ要求手段と前記データ通信手段とを関連付ける関連付手段をさらに備え、前記データ通信手段による、前記移動局と前記固定局間のデータ通信経路と、前記データ要求手段による、前記移動局と前記固定局間のデータ要求経路と、をそれぞれ異なる通信経路で接続することを特徴としている。
【００１４】
請求項２に記載の発明によれば、請求項１に記載の発明において、関連付手段をさらに備えており、該関連付手段によってデータ要求手段とデータ通信手段が関連付けられるので、データ通信手段による、移動局と固定局間のデータ通信経路と、データ要求手段による、移動局と固定局間のデータ要求経路と、をそれぞれ異なる通信経路で接続しても、データ要求手段とデータ通信手段をそれぞれ紐付けすることができ、確実にデータ要求手段によって要求された所定のデータを、送信すべきデータ通信手段に送信することができる。
【００１５】
なお、関連付手段は、請求項３に記載の発明のように、データ要求手段の固有情報とデータ通信手段の固有情報とに基づいて、データ要求手段とデータ通信手段とを関連付けるようにしてもよい。例えば、データ要求手段とデータ通信手段を無線電話回線を使用してそれぞれ異なる電話番号で接続する場合には、電話番号をそれぞれの固有情報とすることができ、それぞれの固有情報を用いて、データ要求手段とデータ通信手段を関連づけすることができる。
【００１６】
また、関連付手段は、請求項４に記載の発明のように、データ通信手段の固有情報及びデータ要求手段の固有情報を固定局に登録する登録手段を含んで、該登録手段の登録によって関連付けを行うと共に、固定局の送信手段が、関連付けされた各固有情報に基づいて要求された所定のデータを送信することによって、確実に要求元のデータ通信手段に所定のデータを送信することができる。
【００１７】
なお、登録手段は、請求項５に記載の発明のように、データ通信手段によるデータ通信毎に登録を行うようにしてもよいし、請求項６に記載の発明のように、データ要求手段による所定のデータ要求の前に予め登録を行うようにしてもよい。
【００１８】
さらに、関連付手段は、請求項７に記載の発明のように、データ通信手段の固有情報及びデータ要求手段の固有情報を移動局で認識する認識手段を含んで、該認識手段の認識によって関連付けを行うと共に、データ通信手段が、関連付けされた各固有情報に基づいて、データ要求手段によって要求した所定のデータを送信手段より取得することによって、確実に要求元のデータ通信手段に所定のデータを送信することができる。
【００１９】
ここで、請求項１乃至請求項７の何れか１項に記載のデータ送受信システムにおける移動局は、請求項１０乃至請求項１４の何れか１項に記載の移動端末装置を適用すること可能である。
【００２０】
すなわち、請求項８に記載の発明は、所定の固定局とデータ通信を行うデータ通信手段と、前記データ通信手段に送信すべき所定のデータを要求するためのデータ要求手段と、を備えることを特徴としている。
【００２１】
請求項８に記載の発明によれば、データ通信手段によって所定の固定局とデータ通信が行われ、データ要求手段によってデータ通信手段に送信すべき所定のデータが所定の固定局に要求される。
【００２２】
例えば、データ通信手段は、データ通信専用の通信モジュールを適用し、データ要求手段は、携帯電話等の通信端末を適用することが可能で、携帯電話による通話によって固定局に対して所定のデータを要求し、固定局から要求した所定のデータをデータ通信手段によって受け取ることができる。
【００２３】
すなわち、データ通信とデータ要求をそれぞれ個別に通信することができるので、通話しながらのデータ通信ができる。
【００２４】
また、所定のデータ要求と当該データの取得をそれぞれ個別に行うことができるので、データ要求手段としての携帯電話が通話中であっても、要求した所定のデータをデータ通信手段によって確実に取得することができる。
【００２５】
請求項９に記載の発明は、請求項８に記載の発明において、前記データ要求手段と前記データ通信手段とを関連付ける関連付手段をさらに備え、前記データ通信手段による前記固定局とのデータ通信経路と、前記データ要求手段による前記固定局とのデータ要求経路と、をそれぞれ異なる通信経路で接続することを特徴としている。
【００２６】
請求項９に記載の発明によれば、請求項８に記載の発明において、関連付手段をさらに備えており、該関連付手段によってデータ要求手段とデータ通信手段が関連付けられるので、データ通信手段による固定局とのデータ通信経路と、データ要求手段による固定局とのデータ要求経路と、をそれぞれ異なる通信経路で接続しても、データ要求手段とデータ通信手段をそれぞれ紐付けすることができ、確実にデータ要求手段によって要求された所定のデータを、データ通信手段で取得することができる。
【００２７】
なお、関連付手段は、請求項１０に記載の発明のように、データ要求手段の固有情報とデータ通信手段の固有情報とに基づいて、データ要求手段とデータ通信手段とを関連付けるようにしてもよい。例えば、データ要求手段とデータ通信手段を無線電話回線を使用してそれぞれ異なる電話番号で接続する場合には、電話番号をそれぞれの固有情報とすることができ、それぞれの固有情報を用いて、データ要求手段とデータ通信手段を関連付けすることができる。
【００２８】
また、関連付手段は、請求項１１に記載の発明のように、データ通信手段の固有情報及びデータ要求手段の固有情報を固定局に登録する登録手段を含んで、該登録手段の登録によって関連付けを行うことにより、固定局側では、関連付けされた各固有情報に基づいて要求された所定のデータを送信することができるので、固定局では確実に要求元のデータ通信手段に所定のデータを送信することができる。
【００２９】
なお、登録手段は、請求項１２に記載の発明のように、データ通信手段によるデータ通信毎に登録を行うようにしてもよいし、請求項１３に記載の発明のように、データ要求手段による所定のデータ要求の前に予め登録を行うようにしてもよい。
【００３０】
さらに、関連付手段は、請求項１４に記載の発明のように、データ通信手段の固有情報及びデータ要求手段の固有情報を認識する認識手段を含んで、該認識手段の認識によって関連付けを行うと共に、データ通信手段が、関連付けされた各固有情報に基づいて、データ要求手段によって要求した所定のデータを固定局より取得することによって、固定局では確実に要求元のデータ通信手段に所定のデータを送信することができる。
【００３１】
【発明の実施の形態】
以下、図面を参照して本発明の実施の形態の一例を詳細に説明する。
【００３２】
図１には、本発明の実施の形態に係わるデータ送受信システムの概略構成を示す。データ送受信システム１０は、図１に示すように、移動局としての車両１２に搭載された通信モジュール１６及びネットワーク機端末１８と、固定局としての情報センタ１４とによって構成されている。
【００３３】
通信モジュール１６は、情報センタ１４など特定の相手先との間で携帯電話網１１を介して（その他の公衆回線網やインターネットなどを介する場合も含む）データ通信を行うデータ通信用（またはデータ通信専用）の通信装置である。通信方式としては、例えば、データ量に応じて課金されるパケット交換方式を用いることができ、該パケット交換方式を用いた場合には、データの送受を行わない限り通信料金が発生しない。
【００３４】
通信モジュール１６は、図２に示すように、外観が略矩形箱形の筐体に形成されており、ダッシュボード内に取り付けられている。通信モジュール１６は、ＲＯＭなどの記憶装置（図示省略）を内蔵しており、この記憶装置には通信モジュール１６の電話番号と、車両の識別情報（通信モジュール１６　に付与された一意のモジュールナンバーと、通信モジュール１６が搭載される車両の車体フレームに付与されたフレームナンバー）とが格納されている。なお、車両識別情報として、通信モジュール１６が搭載される車両の車体フレームに付与されたフレームナンバーだけとすることもできる。また、上記の変形例として、通信モジュール１６の記憶装置に通信モジュール１６の電話番号を記憶させ、通信時にネットワーク機端末１８に記憶されたネットワーク機端末１８のシリアル番号と通信モジュール１６の電話番号と共に送信する構成としてもよい。この場合、車両のフレームナンバーは工場出荷時に情報センタ１４にネットワーク機端末１８のシリアル番号と関連付けて記憶されているため、通信モジュール１６の電話番号とネットワーク機端末１８のシリアル番号を情報センタ１４に送信することにより、車両のフレームナンバーが特定されることになる。
【００３５】
通信モジュール１６の電話番号と通信モジュール１６に付与されたフレームナンバーは、通信モジュール１６の製造工場において記憶装置に書き込まれる。通信モジュール１６は、車両の製造工場において車両に取り付けられる。
【００３６】
通信モジュール１６は、車両に搭載されたネットワーク機端末１８などから制御されることによって、特定の電話番号を発信情報として外部に送出する。これにより、情報センタ１４との間でデータ通信を行うための通路が確立され、情報センタ１４との間でデータ通信を行うことが可能となる。通信モジュール１６をダッシュボード内に取り付けた場合には、データ通信の安定性を確保するために、フロントガラス内側など電波を送受しやすい車両部分に取り付けたアンテナ２０を通信モジュール１６に接続することが好ましい。なお、通信モジュール１６及びアンテナ２０は本発明のデータ通信手段に相当する。
【００３７】
通信モジュール１６には、イグニッションキーをオン（またはワイヤレスキーなどその他のエンジン始動方法）によってエンジンを始動することにより、予め車両に搭載されている図示しないバッテリーから作動用の電源が供給され（通信モジュール電源オン）、イグニッションキーのオフ（またはワイヤレスキーなどその他のエンジン停止方法）によってエンジンを停止することにより、作動用の電源が供給されなくなる（通信モジュール電源オフ）。
【００３８】
なお、エンジン始動用のバッテリーやこれとは別に車両に搭載した非常用の通信用電源から通信モジュール１６に常時電源を供給して着信可能情報としておけば、例えば、エンジンが始動されることなく車両がレッカー車などで盗まれた場合であっても、情報センタ１４から通信モジュール１６を呼び出して盗難車両の位置を調べることが可能となる。
【００３９】
本実施の形態においては、情報センタ１４を運営する事業会社が通信キャリア（通信事業者）との間の契約により、通信モジュール１６によるデータ通信料や月々の基本料金などの通信コストを負担する。従って、ユーザには通信モジュール１６によるデータ通信料や月々の基本料金は課金されず、情報料（コンテンツ利用料）のみが課金されるようになっている。なお、情報センタ１４を運営する事業会社が通信キャリアとの間で行う契約は、人単位でなはなく、車両単位とされ、情報センタ１４を運営する事業会社は、所定のタイミングで通信キャリアに対して通信料を支払う。
【００４０】
通信モジュール１６は、上記のように車両に搭載されたネットワーク機端末１８と別体としてもよいし、ネットワーク機端末１８の筐体内に収容するようにしてもよい。また、通信モジュール１６は、ダッシュボード内に限らず、運転席や助手席などのシートの下やトランクルームなど、車内の各種の場所に取り付けるようにしてもよい。
【００４１】
通信モジュール１６には所定のインターフェースを介してネットワーク機端末１８が接続されている。ネットワーク機端末１８は、ＣＰＵ２２とこのＣＰＵ２２にバスを介して接続された、ＲＡＭ、ＲＯＭ（またはハードディスク装置などの記憶媒体）、メモリカード読取装置、音声出力装置、通信モジュール１６とのインターフェース（いずれも図示省略）、画像表示装置２４、入力装置２６、車両の現在位置を検出する検出手段（ＧＰＳアンテナ２８、車速センサ３０、およびジャイロセンサ３２など）、燃料残検出センサなどその他のセンサ３４、マイク３６、携帯電話機４０が接続される接続部３８、およびハンズフリーユニットなどを備えている。なお、ＧＰＳ機能は通信モジュール１６に内蔵するようにしてもよい。
【００４２】
ネットワーク機端末１８のＲＯＭには、ウインドウズ（Ｒ）ＣＥなどのオペレーティングシステム（ＯＳ）と、該ＯＳ上で実行されるナビゲーションプログラムや音楽・画像（静止画または動画）の再生プログラムなどが格納されている。
【００４３】
ナビゲーションシステムは、主に、メモリカード読取装置によってメモリカードから読み取られた経路案内に用いられるデータ（地図データや経路探索用データや経路案内用データなど）に基づいて、車両現在地などの所定位置から目的地までの経路を案内する。車両現在地としては、ＧＰＳアンテナ２８を介して衛星から受信した信号に基づいて算出される絶対位置と、車速センサ３０やジャイロセンサ３２などから検出された信号に基づいて算出される相対位置とがある。
【００４４】
再生プログラムは、主に、メモリカード読取装置によってメモリカードから読み取られた音楽ファイルや画像ファイルに基づいて、車載のスピーカーなどの音声出力装置から音楽を出力し、また、液晶ディスプレイやＣＲＴディスプレイなどの画像表示装置２４に画像を表示する。
【００４５】
経路案内に用いられるデータや音楽ファイル・画像ファイルは、情報センタ１４から通信モジュール１６を介して取得されてメモリカードに記録される。これらのデータ（経路案内に用いられるデータや音楽ファイル・画像ファイル）は、情報センタ１４から圧縮された状態で取得してメモリカードに記録し、必要に応じて解凍して使用するようにしてもよい。なお、これらのデータは、家庭用のパーソナルコンピュータ（図示省略）によってメモリカードに記録される場合もある。
【００４６】
入力装置２６は、所定のサービスの要求などを入力する装置であり、ネットワーク機端末１８正面に設けられたスイッチ２７、音声認識装置、画像表示装置２４の表示面に設けられたタッチパネル２５などを含む。音声認識装置は、車載のマイク３６から入力された音声から特徴パターンを抽出してこれを予め用意されたパターン（ＲＯＭなどに予め格納）と比較することで入力された音声を認識する装置であり、特定のパターンが認識された場合には、その認識パターンに対応付けられた情報が入力され、または、命令が実行されるようになっている。
【００４７】
なお、入力装置２６としては、このほかに、種々のスイッチを有するリモートコントロール装置を適用するようにしてもよい。
【００４８】
接続部３８は、特定の相手先との間で音声通信が可能なデータ要求手段としての携帯電話４０がハンズフリーユニットに含まれるハンズフリー接続ハーネス４２を介して有線接続される接続ポートである。
【００４９】
ハンズフリーユニットは、マイク３６と車載スピーカーやネットワーク機端末１８内蔵スピーカなどの音声出力装置と携帯電話４０と接続するためのハンズフリー接続ハーネス４２を含み、ハンズフリー接続ハーネス４２を介して携帯電話４０と接続し、特定の相手先（または通信先）との間でハンズフリー通話が可能となっている。
【００５０】
本実施の形態では、情報センタ１４の連絡先（電話番号）がネットワーク機端末１８のＲＯＭに記憶され、ネットワーク機端末１８の画面表示装置２４に表示された情報センタ１４と通話するための通話ボタンがタッチパネル２５の操作により指示された場合等に、ハンズフリーユニットを介して情報センタ１４に通話接続されるようになっており、これによって運転中に情報センタ１４のオペレータや特定の相手先とハンズフリー通話が可能となる。ここで、携帯電話４０から情報センタ１４に通話接続する際には、携帯電話４０は発信番号付きで通話接続されるようにネットワーク機端末１８によって制御される。すなわち、携帯電話４０の電話番号が情報センタ１４に通知される。これによって情報センタ１４側で携帯電話４０の電話番号を認識することができる。
【００５１】
一方、ネットワーク機端末１８は、入力装置２６を介して所定のサービスの要求が入力された場合には、通信モジュール１６の特定の電話番号を送出するように通信モジュール１６を制御する。これにより、情報センタ１４との間でデータ通信を行うための通信路が確立され、情報センタとの間でデータ通信を行うことが可能となる。
【００５２】
また、ネットワーク機端末１８は、情報センタ１４との間でデータ通信を行うための通信路が確立され、入力装置２６に所定サービスの要求が入力された場合には、情報センタ１４に対して通信モジュール１６を介して、入力装置２６から入力された所定サービスの要求と、所定サービスの要求を行うユーザの識別情報と、通信モジュール１６に内蔵された記憶装置に格納された車両識別情報（フレームナンバーとモジュールナンバー）と、通信モジュール１６の電話番号を送信するように通信モジュール１６を制御する。
【００５３】
情報センタ１４は、図１に示すように、センタＣＰＵ４４とこのＣＰＵ４４にバスを介して接続されたハードディスク装置などの記憶装置に構築された各種のデータベース（車両情報データベース４６、ユーザ情報データベース４８、各種情報データベース５０等）や、車両に搭載された通信モジュール１６との間でデータ通信を行う通信装置５１、当該通信装置によるデータ通信や携帯電話４０との通話のためのアンテナ５２などを備えている。なお、通信装置５１及びアンテナ５２は、本発明の送信手段に相当する。
【００５４】
車両情報データベース４６は、例えば、フレームナンバー、モジュールナンバー、通信モジュール１６の電話番号、車両情報等の項目を含んで構成される。
【００５５】
ユーザ情報データベース４８は、フレームナンバー、ユーザ識別情報（ログインナンバーまたは音声認識データ）、クレジットカード番号（決済ナンバー）等の項目を含んで構成される。なお、ユーザ情報データベース４８には、一つのフレームナンバーに対して複数のユーザ識別情報が登録されることがある。
【００５６】
各種情報データベース５０は、例えば、クレジットカード番号（決済ナンバー）、フレームナンバー、使用日時、利用金額（課金の金額）等の項目を含んだ課金情報データベースや、経路案内に用いられるデータや音楽ファイル・画像ファイルなどが登録された各種のコンテンツデータベースなどからなる。
【００５７】
ところで、本実施の形態では、ハンズフリーユニットによって情報センタ１４に通話接続して、通話により各種サービスの要求を行い、通信モジュール１６を介して、要求したサービスデータを取得することができる。
【００５８】
この場合には、携帯電話４０と通信モジュール１６による情報センタ１４への通信経路が異なるので、携帯電話４０で要求したサービスデータを対応する通信モジュール１６で取得するために、携帯電話４０と通信モジュール１６を関連付ける必要がある。
【００５９】
そこで、本実施の形態では、車両１２側で使用する携帯電話４０の固有情報としての電話番号をネットワーク機端末１８に記憶しておき、携帯電話４０を使用して情報センタ１４に各種サービスの要求をした後に、情報センタ１４に通信モジュール１６を介して情報センタ１４に、携帯電話４０の通話で要求したサービスデータを取得に行くようにしている。そして、この時に、携帯電話４０の電話番号と通信モジュール１６の電話番号を関連付けて通信モジュール１６を介して要求サービスデータを取得することによって、情報センタ１４では、携帯電話４０の電話番号に対応した要求サービスデータを送信することができる。
【００６０】
続いて、上述のように構成されたデータ送受信システム１０において、ハンズフリー接続ハーネス４２に携帯電話４０が接続され、該携帯電話４０にて各種サービスを情報センタ１４に要求する場合のデータ通信の一例について図３及び図４のフローチャートを参照して説明する。なお、図３は、車両１２側で行われる処理の流れを示し、図４は、情報センタ１４側で行われる処理の流れを示す。
【００６１】
まず、車両１２側ではステップ１００で、情報センタ１４への接続操作が入力装置２６に行われたか否か判定される。該判定が否定された場合には、肯定されるまで待機してステップ１０２へ移行する。
【００６２】
ステップ１０２では、携帯電話の自局番号が携帯電話４０から読み取られてネットワーク機端末１８に記憶される。すなわち、ハンズフリー接続ハーネス４２に接続されている携帯電話４０の電話番号がネットワーク機端末１８に取得される。すなわち、ネットワーク機端末１８では、通信モジュール１６と携帯電話４０のそれぞれの固有情報としての電話番号を認識することができ、これによって通信モジュール１６と携帯電話４０の関連付けができる。
【００６３】
続いて、ステップ１０４では、ハンズフリー接続操作がなされたか否か判定される。該判定は、画面表示装置２４等に表示された情報センタ１４と通話するための通話ボタンがタッチパネル２５の操作により指示されたか否かを判定することによってなされ、該判定が否定された場合は、肯定されるまで待機してステップ１０６へ移行する。
【００６４】
ステップ１０６では、ハンズフリーにて情報センタ１４と接続される。すなわち、ここで、情報センタ１４のオペレータに対して各種サービスの要求を携帯電話４０を介して行うことができる。
【００６５】
そして、ステップ１０８では、携帯電話の通話終了か否か判定される。該判定は、ハンズフリーによる通話が終了か否か判定される。すなわち、通話終了を表す操作がタッチパネル２５等の入力装置２６を介して入力されたか否か判定され、該判定が否定された場合には、上述のステップ１０６に戻って、情報センタ１４との通話が継続される。
【００６６】
ステップ１０８の判定が肯定された場合には、ステップ１１０へ移行して、通信モジュール１６を介して携帯電話４０の電話番号に対応する要求サービスデータの取得要求が情報センタ１４になされる。すなわち、携帯電話４０で要求したサービスデータの取得要求が情報センタ１４に行われる。この時、通信モジュール１６は携帯電話４０の電話番号を取得要求に付加して送信する。これによって、ネットワーク機端末１８が認識した、通信モジュール１６に関連付けられた携帯電話４０からの要求サービスデータを情報センタ１４から取得することができる。なお、ステップ１１０は本発明の関連付手段に相当し、ステップ１０２及びステップ１１０は本発明の認識手段に相当する。
【００６７】
次にステップ１１２では、要求サービスデータを取得完了したか否か判定されて、該判定が否定された場合には肯定されるまで待機して、一連の処理を終了する。
【００６８】
一方、情報センタ１４側ではステップ２００で、通信モジュール１６からの接続要求があるか否か判定され、該判定が肯定されるまで待機してステップ２０２へ移行する。
【００６９】
ステップ２０２では、携帯電話４０接続されたか否か判定される。すなわち、ハンズフリーによる携帯電話４０接続がなされたか否か判定され、該判定が肯定されるまで待機してステップ２０４へ移行する。
【００７０】
ステップ２０４では、携帯電話４０から送信されてきた携帯電話４０の電話番号が情報センタ１４に記憶されて、ステップ２０６へ移行する。
【００７１】
ステップ２０６では、携帯電話４０との接続がなされて、情報センタ１４のオペレータと通話が行われる。ここで、各種サービスの要求の受付が行われる。
【００７２】
ステップ２０８では、要求されたサービスデータがオペレータによって検索されて、検索したサービスデータがステップ２０４で記憶した携帯電話４０の電話番号に対応してセットされる。
【００７３】
そして、ステップ２１０では、携帯電話４０の通話終了か否か判定される。該判定が否定された場合には、上述のステップ２０６に戻って、通話（各種サービスの受付）が継続される。
【００７４】
ステップ２１０の判定が肯定された場合、すなわち、各種サービスの受付が終了して、サービスデータがオペレータによって携帯電話の電話番号に対応してセットされて、通話が終了すると、ステップ２１２へ移行する。
【００７５】
ステップ２１２では、要求サービスデータの取得要求が車両１２側の通信モジュール１６からなされたか否か判定され、該判定が肯定されるまで待機して、ステップ２１４へ移行する。
【００７６】
ステップ２１４では、通信モジュール１６から送信される要求サービスデータ取得要求に含まれる携帯電話４０の電話番号に対応する要求サービスデータが通信装置５１及びアンテナ５２を介して通信モジュール１６に送信されて、一連の処理を終了する。
【００７７】
このように、図３の車両１２側及び図４の情報センタ１４側のそれぞれの処理では、車両１２から携帯電話４０を使って各種サービス要求を行うと、情報センタ１４では携帯電話４０の電話番号に対応して要求サービスデータをセットし、車両１２側から通信モジュール１６を介して要求サービスデータの取得を行う。そして、このとき、携帯電話４０の電話番号を情報センタ１４に送信することにより、情報センタ１４は当該携帯電話４０の電話番号に対応する要求サービスデータを通信モジュール１６に送信する。これによって、携帯電話４０と通信モジュール１６とを紐付けすることができ、データ送信要求元の車両１２に確実にデータ送信することができる。
【００７８】
また、本実施の形態では、携帯電話４０による通話終了後にデータを送るようにしたが、これに限らず、通話しながら送るようにしてもよい。
【００７９】
続いて、上述のように構成されたデータ送受信システム１０において、ハンズフリー接続ハーネス４２に携帯電話４０が接続され、該携帯電話４０にて各種サービスを情報センタ１４に要求する場合のデータ通信の第１の変形例について図５及び図６のフローチャートを参照して説明する。なお、図５は、車両１０側で行われる処理の流れを示し、図６は、情報センタ１４側で行われる処理の流れを示す。
【００８０】
上記の実施の形態では、携帯電話４０と情報センタ１４の通話接続により、各種サービスの要求を行い、通信モジュール１６を介して情報センタ１４に要求サービスデータを取得に行く際に、携帯電話４０の電話番号と通信モジュール１６の電話番号を関連付けて通信モジュール１６を介して要求サービスデータを取得するようにしたが、この場合には、携帯電話４０による各種サービス要求が行われた時に、通信モジュール１６の契約を行っているユーザ（会員）であるかどうかわからないので、予め情報センタ１４に通信モジュール１６と携帯電話４０を関連付けて登録した方がよい。そこで、第１の変形例では、情報センタ１４に通信モジュール１６に対応して使用する携帯電話４０を予め登録するようにしている。すなわち、情報センタ１４にて携帯電話４０の固有情報としての電話番号と、通信モジュール１６の固有情報としての電話番号を関連付けられるようにしている。これによって、携帯電話４０による各種サービス要求時に通信モジュール１６の契約を行っているユーザか否か情報センタ１４で予め把握することができる。また、上記の実施の形態と同様に、要求元の車両１２に確実にサービスデータを送信することができる。
【００８１】
すなわち、車両１０側ではステップ３００で、使用する携帯電話４０の電話番号を予め情報センタ１４に登録しておく。なお、情報センタ１４への携帯電話４０の電話番号の登録は、ハンズフリー接続ハーネス４２を接続して、ネットワーク機端末１８を介して登録するようにしてもよいし、ハンズフリー接続ハーネス４０に接続せずに、ユーザの所有するパーソナルコンピュータ等を利用して、インターネット等のネットワーク等を介して登録するようにしてもよい。なお、ステップ３００は本発明の登録手段に相当する。
【００８２】
次にステップ３０２では、ハンズフリー接続操作がなされたか否か判定される。該判定は、画面表示装置２４等に表示された情報センタ１４と通話するための通話ボタンがタッチパネル２５の操作により指示されたか否かを判定することによってなされ、該判定が否定された場合は、肯定されるまで待機してステップ３０４へ移行する。
【００８３】
ステップ３０４では、ハンズフリーにて情報センタ１４と接続される。すなわち、ここで、情報センタ１４のオペレータに対して各種サービスの要求を行うことができる。
【００８４】
そして、ステップ３０６では、携帯電話の通話終了か否か判定される。該判定は、ハンズフリーによる通話が終了か否か判定される。すなわち、通話終了を表す操作がタッチパネル２５等の入力装置２６を介して入力されたか否か判定され、該判定が否定された場合には、上述のステップ３０４に戻って、情報センタ１４との通話が継続される。
【００８５】
ステップ３０６の判定が肯定された場合には、ステップ３０８へ移行して、通信モジュール１６を介して携帯電話４０の電話番号に対応する要求サービスデータの取得要求が情報センタ１４になされる。すなわち、携帯電話４０で要求したサービスデータの取得要求が情報センタ１４に行われる。
【００８６】
次にステップ３１０では、要求サービスデータを取得完了したか否か判定されて、該判定が否定された場合には肯定されるまで待機して、一連の処理を終了する。
【００８７】
一方、情報センタ１４側ではステップ４００で、携帯電話接続されたか否か判定される。すなわち、ハンズフリーによる携帯電話接続がなされたか否か判定され、該判定が肯定されるまで待機してステップ４０２へ移行する。
【００８８】
ステップ４０２では、予め登録された携帯電話４０の電話番号の中から、通話接続された携帯電話４０に対応する通信モジュール１６の電話番号等の固有情報が検索されて、ステップ４０４へ移行する。
【００８９】
ステップ４０４では、携帯電話との接続がなされて、情報センタ１４のオペレータと通話が行われる。ここで、各種サービスの要求の受付が行われる。
【００９０】
ステップ４０６では、要求されたサービスデータがオペレータによって検索されて、検索したサービスデータがステップ４０２で、検索した通信モジュール１６の電話番号に対応してセットされる。
【００９１】
そして、ステップ４０８では、携帯電話４０の通話終了か否か判定される。該判定が否定された場合には、上述のステップ４０４に戻って、通話（各種サービスの受付）が継続される。
【００９２】
ステップ４０８の判定が肯定された場合、すなわち、各種サービスの受付が終了して、サービスデータがオペレータによって通信モジュール１６の電話番号に対応してセットされて、通話が終了すると、ステップ４１０へ移行する。
【００９３】
ステップ４１０では、要求サービスデータ取得要求が車両１２側の通信モジュール１６からなされたか否か判定され、該判定が肯定されるまで待機して、ステップ４１２へ移行する。
【００９４】
ステップ４１２では、通信モジュール１６から送信される要求サービスデータ取得要求に対して、対応する要求サービスデータが通信装置５１及びアンテナ５２を介して送信される。すなわち、携帯電話４０で要求されたサービスデータを、ステップ４０２で検索した通信モジュール１６の電話番号宛てに送信して、一連の処理を終了する。
【００９５】
このように、図５の車両１２側及び図６の情報センタ１４側のそれぞれの処理では、予め車両１２で使用する携帯電話４０の電話番号を通信モジュール１６の電話番号に対応させて登録するので、登録された携帯電話４０からの各種サービス要求がなされた場合に、情報センタ１４では、要求サービスデータを送信すべき通信モジュール１６を特定することができ、これによって、携帯電話４０と通信モジュール１６を紐付けすることができ、データ送信要求元の車両１２に確実にデータ送信することができる。
【００９６】
また、通話は上記と同様に、携帯電話４０を用い、データ送受信は通信モジュール１６を用いるので、通話しながらのデータ送受信を行うことができる。
【００９７】
続いて、上述のように構成されたデータ送受信システム１０において、ハンズフリー接続ハーネス４２に携帯電話４０が接続され、該携帯電話４０にて各種サービスを情報センタ１４に要求する場合のデータ通信の第２の変形例について図７及び図８のフローチャートを参照して説明する。なお、図７は、車両１２側で行われる処理の流れを示し、図８は、情報センタ１４側で行われる処理の流れを示す。
【００９８】
上記の実施の形態において、携帯電話４０による各種サービス要求が行われた時に、通信モジュール１６の契約を行っているユーザ（会員）であるかどうかわからないので、第１変形例では、情報センタ１４に通信モジュール１６に対応して使用する携帯電話４０を予め登録するようにしたが、第２の変形例では、通信モジュール１６と情報センタ１４の通信を行うたびに、情報センタ１４に通信モジュール１６に対応して使用する携帯電話４０を登録する。これによって、第１変形例と同様に、携帯電話４０による各種サービス要求時に通信モジュール１６の契約を行っているユーザか否か情報センタ１４で予め把握することができる。
【００９９】
すなわち、車両１２側ではステップ５００で、情報センタ１４への接続操作が入力装置２６に行われたか否か判定される。該判定が否定された場合には、肯定されるまで待機してステップ５０２へ移行する。
【０１００】
ステップ５０２では、携帯電話４０の自局番号が携帯電話４０から読み取られてネットワーク機端末１８に記憶される。すなわち、ハンズフリー接続ハーネス４０に接続されている携帯電話４０の電話番号がネットワーク機端末１８に取得される。
【０１０１】
続いて、ステップ５０４では、通信モジュール１６の電話番号及び接続されている携帯電話４０の電話番号が情報センタ１４に通信モジュール１６を介して送信される。
【０１０２】
ステップ５０６では、ハンズフリー接続操作がなされたか否か判定される。該判定は、画面表示装置２４等に表示された情報センタ１４と通話するための通話ボタンがタッチパネル２５の操作により指示されたか否かを判定することによってなされ、該判定が否定された場合は、肯定されるまで待機してステップ５０８へ移行する。
【０１０３】
ステップ５０８では、ハンズフリーにて情報センタ１４と接続される。すなわち、ここで、情報センタ１４のオペレータに対して各種サービスの要求を行うことができる。
【０１０４】
そして、ステップ５１０では、携帯電話の通話終了か否か判定される。該判定は、ハンズフリーによる通話が終了か否か判定される。すなわち、通話終了を表す操作がタッチパネル２５等の入力装置２６を介して入力されたか否か判定され、該判定が否定された場合には、上述のステップ５０８に戻って、情報センタ１４との通話が継続される。
【０１０５】
ステップ５１０の判定が肯定された場合には、ステップ５１２へ移行して、要求サービスデータ送信準備完了通知を情報センタ１４から受信したか否か判定され、該判定が肯定されるまで待機してステップ５１４へ移行する。
【０１０６】
ステップ５１４では、通信モジュール１６を介して要求サービスデータの取得要求が情報センタ１４に送信される。すなわち、携帯電話４０で要求したサービスデータの取得要求が情報センタ１４に行われる。
【０１０７】
次にステップ５１６では、要求サービスデータが取得されたか否か判定される。すなわち、情報センタ１４から要求サービスデータが送信されて来たか否か判定されて、要求サービスデータの取得が完了したところで一連の処理を終了する。
【０１０８】
一方、情報センタ１４側ではステップ６００で、通信モジュール１６からの接続要求があるか否か判定され、該判定が肯定されるまで待機してステップ６０２へ移行する。
【０１０９】
ステップ６０２では、通信モジュール１６から当該通信モジュール１６の電話番号及び携帯電話４０の電話番号を受信したか否か判定されて、該判定が肯定されるまで待機してステップ６０４へ移行して、通信モジュール１６の電話番号及び携帯電話４０の電話番号を対応させて記憶される。すなわち、第２の変形例では、情報センタ１４に通信モジュール１６を介して接続するたびに、通信モジュール１６の電話番号と、車両１２側で使用する携帯電話４０の電話番号が情報センタ１４に送信される。従って、情報センタ１４では、通信モジュール１６と車両１２側で使用する携帯電話４０とをそれぞれの電話番号から紐付けすることができる。なお、ステップ６０４は本発明の登録手段に相当する。
【０１１０】
続いて、ステップ６０６では、情報センタ１４に記憶された携帯電話４０の電話番号に対応する携帯電話４０との接続がなされたか否か判定される。すなわち、ハンズフリーによる携帯電話４０接続がなされたか否か判定され、該判定が肯定されるまで待機してステップ６０８へ移行する。
【０１１１】
ステップ６０８では、携帯電話４０との接続がなされて、情報センタ１４のオペレータと通話が行われる。ここで、各種サービスの要求の受付が行われる。
【０１１２】
ステップ６１０では、携帯電話４０の通話が終了か否か判定される。該判定が否定された場合には、上述のステップ６０８に戻って、通話（各種サービスの受付）が継続される。
【０１１３】
ステップ６１０の判定が肯定された場合、すなわち、各種サービスの受け付けが終了した場合には、ステップ６１２へ移行する。
【０１１４】
ステップ６１２では、要求されたサービスデータがオペレータによって検索されて、検索したサービスデータを要求元の携帯電話４０の電話番号に対応する通信モジュール１６の電話番号に対応してセットされる。
【０１１５】
そして、ステップ６１４では、要求サービスデータ送信準備完了通知を要求元の通信モジュール１６に送信する。すなわち、携帯電話４０の電話番号に対応する通信モジュール１６の電話番号に基づいて、要求サービスデータの送信準備が完了したことを表す通知を要求元の通信モジュール１６に送信する。
【０１１６】
ステップ６１６では、要求サービスデータの取得要求が車両１２側の通信モジュール１６からなされたか否か判定され、該判定が肯定されるまで待機して、ステップ６１８へ移行する。
【０１１７】
ステップ６１８では、要求サービスデータ取得要求の通信モジュール１６の電話番号に対応する要求サービスデータが通信装置５１及びアンテナ５２を介して通信モジュール１６に送信されて、一連の処理を終了する。
【０１１８】
このように、図７の車両１２側及び図８の情報センタ１４側のそれぞれの処理では、車両１２から情報センタ１４に接続するたびに、通信モジュール１６の電話番号及び使用する携帯電話４０の電話番号が情報センタ１４に送信される。従って、情報センタ１４では、通信モジュール１６と携帯電話４０との対応を確認することができるので、携帯電話４０を使用して情報センタ１４のオペレータに各種サービス要求を行ったときに、情報センタ１４から送信すべき通信モジュール１６を特定することができ、これによって、携帯電話４０と通信モジュール１６とを紐付けすることができ、データ送信要求元の車両１２に確実にデータ送信することができる。
【０１１９】
また、通話は上記と同様に、携帯電話４０を用い、データ送受信は通信モジュール１６を用いるので、通話しながらのデータ送受信を行うことができる。
【０１２０】
なお、上記の実施の形態及び変形例では、何れも、各種サービスを携帯電話４０で要求して、通信モジュール１６から要求したサービスデータを情報センタ１４に取得しに行くようにしたが、情報センタ１４から要求サービスデータが準備できたところで自動的に送信するようにしてもよい。この場合には、例えば、上記の実施の形態においては、図３のステップ１００で情報センタ１４に接続したところで、通信モジュール１６を介して、通信モジュール１６の電話番号に対応させて使用する携帯電話４０の電話番号を情報センタ１４に送信するようにして、図４の情報センタ１４側の処理では、ステップ２００で通信モジュール１６と接続したところで、送信されてきた通信モジュール１６の電話番号と対応させて携帯電話４０の電話番号を登録しておくことにより、図３のステップ１０８及び図４のステップ２１０で通話が終了して、要求サービスデータが準備できたところで、該当する通信モジュール１６に要求サービスデータを情報センタ１４から送信することによって実現可能である。なお、この場合には、図３のステップ１１０及び図４のステップ２１２は不要となる。
【０１２１】
また、第１の変形例の場合には、情報センタ１４に使用する携帯電話４０の電話番号を予め登録しているので、図５のステップ３０６及び図６のステップ４０８で通話が終了して、要求サービスデータが準備できたところで、該当する通信モジュール１６に要求サービスデータを送信することによって実現可能である。なお、この場合には、図５のステップ３０８及び図６のステップ４１０が不要となる。
【０１２２】
さらに、第２の変形例の場合には、情報センタ１４に通信モジュール１６を介して接続するたびに、通信モジュール１６の電話番号と使用する携帯電話４０の電話番号を送信して、情報センタ１４に登録しているので、図７のステップ５１０及び図８のステップ６１０で通話が終了して、要求サービスデータが準備できたところで、該当する通信モジュール１６に要求サービスデータを送信することによって実現可能である。なお、この場合には、図７のステップ５１２、５１４及び図８のステップ６１４、６１６が不要となる。
【０１２３】
また、上記の実施の形態及び変形例のそれぞれでは、携帯電話４０によるサービス要求を行って通話を終了した後に、サービスデータを取得するようにしたが、これに限るものではなく、通話を終了する前に、情報センタ１４で要求サービスデータの準備ができたところで、サービスデータを取得するようにしてもよい。
【０１２４】
【発明の効果】
以上説明したように本発明によれば、移動端末装置などの移動局に固定局とデータ通信を行うデータ通信手段と、データ通信手段に送信すべき所定のデータを要求するためのデータ要求手段を備えて、データ要求手段により要求された所定のデータをデータ送信手段へ送信する送信手段を固定局に備えることによって、データ通信と通話等によるデータ要求をそれぞれ同時に行うことができるので、通話しながらのデータ送信ができると共に、データ送信要求元の移動局に確実にデータ送信することができる、という効果がある。
【図面の簡単な説明】
【図１】本発明の実施の形態に係わるデータ送受信システムの概略構成を示すブロック図である。
【図２】本発明の実施の形態に係わるデータ送受信システムの車両側への搭載状態の一例を示す図である。
【図３】ハンズフリー接続ハーネスに携帯電話が接続され、該携帯電話にて各種サービスを情報センタに要求する場合の車両側で行われる処理の一例を示すフローチャートである。
【図４】ハンズフリー接続ハーネスに携帯電話が接続され、該携帯電話にて各種サービスを情報センタに要求する場合の情報センタ側で行われる処理の一例を示すフローチャートである。
【図５】ハンズフリー接続ハーネスに携帯電話が接続され、該携帯電話にて各種サービスを情報センタに要求する場合の車両側で行われる処理の第１の変形例を示すフローチャートである。
【図６】ハンズフリー接続ハーネスに携帯電話が接続され、該携帯電話にて各種サービスを情報センタに要求する場合の情報センタ側で行われる処理の第１の変形例を示すフローチャートである。
【図７】ハンズフリー接続ハーネスに携帯電話が接続され、該携帯電話にて各種サービスを情報センタに要求する場合の車両側で行われる処理の第２の変形例を示すフローチャートである。
【図８】ハンズフリー接続ハーネスに携帯電話が接続され、該携帯電話にて各種サービスを情報センタに要求する場合の情報センタ側で行われる処理の第２の変形例を示すフローチャートである。
【符号の説明】
１０　　データ送受信システム
１１　　携帯電話網
１２　　車両
１４　　情報センタ
１６　　通信モジュール
１８　　ネットワーク機端末
２０　　アンテナ
２６　　入力装置
４０　　携帯電話
４２　　ハンズフリー接続ハーネス
５１　　通信装置
５２　　アンテナ
【図１】
2004140666.tif 000003
【図２】
2004140666.tif 000004
【図３】
2004140666.tif 000005
【図４】
2004140666.tif 000006
【図５】
2004140666.tif 000007
【図６】
2004140666.tif 000008
【図７】
2004140666.tif 000009
【図８】
2004140666.tif 000010